(57)【特許請求の範囲】
【請求項１】
供給された原稿を案内し、原稿の第１面が読み取られる際に、当該原稿が前記読取位置を一側から他側へ通過するように原稿を案内する導入経路と、
前記導入経路と接続され、第１面の画像情報が読み取られた原稿の第２面が読み取られるように、原稿を反転させて前記読取位置の前記他側から前記一側へ当該原稿を案内する反転経路と、
前記反転経路と接続され、第２面の画像情報が読み取られた原稿が、前記読取位置よりも前記他側で排出されるように、当該原稿を案内する排出経路と、
を備え、
前記反転経路は、反転前の原稿が搬送される反転前経路と、反転後の原稿が搬送される反転後経路と、を有しており、
前記排出経路は、前記反転前経路と共通する部分である第１共通経路と、前記反転後経路と共通する部分である第２共通経路と、前記第１共通経路と前記第２共通経路とを接続する接続経路と、を有しており、
第２面の画像情報が読み取られた原稿は、前記第１共通経路、前記接続経路、及び前記第２共通経路の順に通過して排出されることを特徴とする自動原稿送り装置。
【請求項２】
請求項１に記載の自動原稿送り装置であって、
第２共通経路上に配置された共通ローラを備え、
前記共通ローラは、前記第２共通経路を搬送される原稿を外部に排出可能であって、かつ前記第２共通経路を搬送される原稿を前記反転経路に沿って搬送可能であることを特徴とする自動原稿送り装置。
【請求項３】
請求項２に記載の自動原稿送り装置であって、
原稿を外部に排出するときと、原稿を前記反転経路に沿って搬送するときと、で前記共通ローラの回転方向が異なることを特徴とする自動原稿送り装置。
【請求項４】
請求項１から３までの何れか一項に記載の自動原稿送り装置と、
前記読取位置を通過する原稿の画像情報を読み取る読取部と、
を備えることを特徴とする原稿読取装置。
【発明の詳細な説明】
【技術分野】
【０００１】
本発明は、自動原稿送り装置、及び、当該自動送り搬送装置で原稿を搬送しながら画像情報の読み取りを行う原稿読取装置に関する。
【背景技術】
【０００２】
従来から、原稿の画像情報を読み取る原稿読取装置において、自動原稿送り装置を備える構成が知られている。自動原稿送り装置とは、複数枚重ねられた原稿を１枚ずつ分離して搬送を行い、画像情報を読み取るための読取位置を原稿が通過するように案内するものである。
【０００３】
この自動原稿送り装置を備えた原稿読取装置において、自動で原稿の両面（第１面及び第２面）を読み取るための様々な構成が知られている。例えば、第１面用と第２面用にそれぞれ読取部を備え、ワンパスで両面読取りを行う構成、及び、原稿の搬送方向を逆転させる、いわゆるスイッチバック機能を備えた構成等が知られている。上記の他にも、原稿の裏表を反転させる経路を設けることで１つの読取部で原稿の両面を読み取らせる構成が知られている。特許文献１は、この種の自動原稿送り装置を開示する。
【０００４】
特許文献１が開示する自動原稿送り装置は、導入パスと反転パスと排出パスとを備えている。導入パスは、一側に膨らんだ逆Ｕ字状の経路であり、原稿載置台（給紙トレイ）にセットされた原稿を、当該原稿載置台の下方に位置する読取位置まで案内する経路である。この導入パスによって読取位置に案内されて第１面が読み取られた原稿は、次に、反転パスに沿って搬送される。反転パスは、他側に膨らんだ逆Ｕ字状の経路を有しており、原稿の裏表を反転させて再び読取位置まで案内する経路である。この反転パスによって読取位置に案内されて第２面が読み取られた原稿は、次に、排出パスに沿って搬送される。排出パスは、導入パスと同一方向（一側）に膨らんだ経路を有しており、導入パスよりも小さいカーブを描きながら読取位置の上方を通過するように原稿を案内し、更に反転パスの上方を通過させて当該原稿を排紙トレイまで案内する経路である。
【０００５】
この構成により、１つの読取部で、かつスイッチバック機能を備えることなく、原稿の両面を読み取ることができる。
【先行技術文献】
【特許文献】
【０００６】
【特許文献１】特許第２８２８８６６号公報
【発明の概要】
【発明が解決しようとする課題】
【０００７】
しかし、原稿の裏表を反転させる経路を設けることで原稿の両面を読取可能な構成は、一般的には、他の構成（２つの読取部を備える構成及びスイッチバック機能を備える構成）に比べて経路が長くなる。
【０００８】
そのため、搬送ローラ及び駆動伝達部材を多数備える必要があり、製造コストが高くなる。また、この構成は、経路が複雑になることが多く、経路が重ねて配置されることがある。
【０００９】
例えば、特許文献１で示す自動原稿送り装置は、反転パスが配置されている箇所において、３つ又は４つの経路が高さ方向に重ねて（並列に）配置されている。そのため、この自動原稿送り装置は、装置の高さ方向のサイズが大きくなってしまう。
【００１０】
本発明は以上の事情に鑑みてされたものであり、その主要な目的は、原稿の裏表を反転させる経路を設けることで両面を読取可能であって、コンパクトであり、かつ製造コストを抑えた構成の自動原稿送り装置を提供することにある。
【課題を解決するための手段及び効果】
【００１１】
本発明の解決しようとする課題は以上の如くであり、次にこの課題を解決するための手段とその効果を説明する。
【００１２】
本発明の第１の観点によれば、以下の構成の自動原稿送り装置が提供される。即ち、この自動原稿送り装置は、導入経路と、反転経路と、排出経路と、を備える。前記導入経路は、供給された原稿を案内する経路であり、原稿が読取位置を通過して当該原稿の第１面が読み取られる際に、当該読取位置を一側から他側へ通過するように原稿を案内する。前記反転経路は、前記導入経路と接続され、第１面の画像情報が読み取られた原稿の第２面が読み取られるように、原稿を反転させて前記読取位置の前記他側から前記一側へ当該原稿を案内する。前記排出経路は、前記反転経路と接続され、第２面の画像情報が読み取られた原稿が、前記読取位置よりも前記他側で排出されるように、当該原稿を案内する。また、前記反転経路は、反転前の原稿が搬送される反転前経路と、反転後の原稿が搬送される反転後経路と、を有している。前記排出経路は、前記反転前経路と共通する部分である第１共通経路と、前記反転後経路と共通する部分である第２共通経路と、前記第１共通経路と前記第２共通経路とを接続する接続経路と、を有している。第２面の画像情報が読み取られた原稿は、前記第１共通経路、前記接続経路、及び前記第２共通経路の順に通過して排出される。
【００１３】
これにより、反転経路と排出経路とに用いられる構成部材を一部共通にすることができるため、自動原稿送り装置を低コストにすることができる。また、反転経路と排出経路とが重ねて配置されている構成に比べて、自動原稿送り装置のサイズを小さくすることができる。また、原稿が排出される位置を反転経路の他側の端部よりも読取部側にすることができるため、反転前経路及び反転後経路に沿う方向の自動原稿送り装置のサイズあるいは、排出される原稿の装置本体からの飛び出し量を小さくすることができる。
【００１８】
前記の自動原稿送り装置においては、以下の構成とすることが好ましい。即ち、この自動原稿送り装置は、第２共通経路上に配置された共通ローラを備える。前記共通ローラは、前記第２共通経路を搬送される原稿を外部に排出可能であって、かつ前記第２共通経路を搬送される原稿を前記反転経路に沿って搬送可能である。
【００１９】
これにより、共通ローラが排出ローラとしての機能と搬送ローラとしての機能とを有しているため、自動原稿送り装置が備えるローラ及び伝達部材の個数を低減することができる。従って、低コスト化を実現できる。
【００２０】
前記の自動原稿送り装置においては、原稿を外部に排出するときと、原稿を前記反転経路に沿って搬送するときと、で前記共通ローラの回転方向が異なることが好ましい。
【００２１】
これにより、原稿を外部に排出するときと、原稿を内部に搬送するときと、で原稿の搬送方向が異なる原稿搬送経路にも対応することができるので、原稿搬送経路のレイアウトの自由度を向上させることができる。
【００２２】
本発明の第２の観点によれば、前記の自動原稿送り装置と、前記読取位置を通過する原稿の画像情報を読み取る読取部と、を備えた構成の原稿読取装置が提供される。
【００２３】
これにより、コンパクトであって、かつ製造コストを抑えた構成の原稿読取装置が実現できる。
【図面の簡単な説明】
【００２４】
【図１】本発明の一実施形態に係る複合機の外観斜視図。
【図２】イメージスキャナ装置の構成を示す正面断面図。
【図３】導入経路及び片面用排出経路を説明する模式図。
【図４】第１反転経路を説明する模式図。
【図５】第２反転経路を説明する模式図。
【図６】両面用排出経路を説明する模式図。
【図７】第１反転経路と両面用排出経路とで共通する経路を説明する模式図。
【図８】第２反転経路と両面用排出経路とで共通する経路を説明する模式図。
【図９】変形例に係る原稿搬送経路を説明する模式図。
【発明を実施するための形態】
【００２５】
次に、図面を参照して本発明の実施の形態を説明する。図１は本発明の一実施形態に係る複合機１の外観斜視図である。
【００２６】
複合機１は、コピー機能及びファクシミリ機能を備えており、ブックスキャナ及びオートドキュメントフィードスキャナとして機能するイメージスキャナ装置（原稿読取装置）１１を、当該複合機１の上部に備えている。また、複合機１は、コピー部数、ファクシミリ送信先及び原稿読取等を指示するための操作パネル１２を備える。
【００２７】
更に、複合機１は、記録媒体としての用紙に画像を形成する画像形成部等を内蔵した複合機本体１３と、前記用紙を順次供給する給紙カセット１４と、を備えている。なお、複合機本体１３は、通信回線を介して画像情報を伝送するための図略の送受信部等を備える。
【００２８】
次に、図２を参照して、複合機１が備えるイメージスキャナ装置１１について説明する。図２は、イメージスキャナ装置１１の構成を示す正面断面図である。なお、本実施形態における正面図は、搬送される原稿の幅方向で見た図と表現することもできる。
【００２９】
図２に示すように、イメージスキャナ装置１１は、原稿台カバー２１と、プラテンガラス２２と、コンタクトガラス２３と、を備えている。この原稿台カバー２１には自動原稿送り装置（オートドキュメントフィーダ、ＡＤＦ）２４が備えられている。また、イメージスキャナ装置１１は、プラテンガラス２２及びコンタクトガラス２３の下方に、原稿１００の画像情報を読み取るためのスキャナユニット２５を備えている。
【００３０】
スキャナユニット２５は、原稿台の内部で左右方向に移動可能なキャリッジ１１０を備えている。このキャリッジ１１０には、光源１１１と、複数の反射ミラー１１２と、集光レンズ１１３と、電荷結合素子（ＣＣＤ）１１４と、が配置されている。光源１１１は読取原稿に対して光を照射し、読取原稿からの反射光は、複数の反射ミラー１１２で反射した後、集光レンズ１１３を通過して収束してＣＣＤ１１４の表面に結像する。そして、ＣＣＤ１１４は、入射された収束光を電気信号に変換して出力する。
【００３１】
また、前記原稿台カバー２１が備えるＡＤＦ２４は、図２に示すように、当該原稿台カバー２１の上部に設けられた給紙トレイ５２と、この給紙トレイ５２の下方に設けられた排紙トレイ５３と、を備える。また、ＡＤＦ２４の内部には、給紙トレイ５２と排紙トレイ５３とを繋ぐ原稿搬送経路４０が構成されている。
【００３２】
ユーザが図１に示す操作パネル１２を操作して、イメージスキャナ装置１１をオートドキュメントフィードスキャナとして使用するように指示すると、給紙トレイ５２に重ねてセットされた原稿１００が、原稿搬送経路４０に沿って１枚ずつ搬送される。そして、原稿搬送経路４０に沿って搬送される原稿１００がコンタクトガラス２３のガラス面（読取位置）を通過するときに、この原稿１００の画像情報がスキャナユニット２５によって読み取られる。その後、原稿１００は、原稿搬送経路４０に沿って搬送されて、排紙トレイ５３へ排出される。
【００３３】
一方、イメージスキャナ装置１１をブックスキャナとして使用する場合は、読み取るべきブック原稿をユーザがプラテンガラス２２上に載置する。そして、ＡＤＦ２４の下部に配置されたプラテンシート５１によって、ブック原稿を上側から押圧して、動かないように固定する。この状態で、左右方向に移動しながらスキャナユニット２５が読取りを行うことで、ブック原稿の画像情報が読み取られる。
【００３４】
次に、ＡＤＦ２４の内部の構成を詳細に説明する。なお、以下の説明において、正面視でみたときに給紙トレイ５２がある側を単に「右側」と称し、正面視におけるその反対側を単に「左側」と称することがある。
【００３５】
本実施形態のＡＤＦ２４は、原稿１００の片面（第１面）のみを読み取るときと、原稿１００の両面（第１面及び第２面）を読み取るときと、で原稿１００の搬送される経路が異なるように構成されている。初めに、原稿１００の片面のみを読み取るときの経路と、その経路に配置される部材について、図２及び図３を参照して説明する。図３は、導入経路４１及び片面用排出経路４３を説明する模式図である。
【００３６】
原稿１００の片面のみを読み取るときは、図３に示すように、原稿１００を読取位置まで案内するための導入経路４１と、原稿１００を読取位置から排紙トレイ５３まで案内するための片面用排出経路４３と、に沿って原稿１００が搬送される。
【００３７】
導入経路４１には、上流側から順に、ピックアップローラ３０と、分離ローラ３１と、レジストローラ３２と、三連ローラ３３と、搬送ローラ３４と、が配置されている。以下に、上流側から下流側の順で、導入経路４１の経路上に配置される各部の構成について説明する。
【００３８】
導入経路４１の上流側の端部近傍には、ピックアップローラ３０及び分離ローラ３１が配置されている。ピックアップローラ３０は、分離ローラ３１の回転軸を中心にして回動可能に構成されており、ＡＤＦ２４の非動作時においては、図２における上側にピックアップローラ３０が保持されている。一方、原稿１００を繰り込む際はピックアップローラ３０が下方に回動し、給紙トレイ５２に重ねてセットされている原稿１００のうち、最上層にある原稿１００の端部に接触する。この状態でピックアップローラ３０が回転することによって、給紙トレイ５２上の最上層の原稿１００が分離ローラ３１へ搬送される。
【００３９】
ピックアップローラ３０の駆動によって分離ローラ３１へ送られた原稿１００は、回転駆動する分離ローラ３１によって１枚ずつ分離された後に、下流側に配置されたレジストローラ３２へ搬送される。
【００４０】
レジストローラ３２は、対向するローラとともに、搬送されてくる原稿１００の先端部を一時的に止めて弛ませ、所定時間後に弛みを除去しつつ下流側に搬送する。これにより、原稿１００の斜行が矯正される。レジストローラ３２を通過した原稿１００は、下流側に配置された三連ローラ３３へ搬送される。
【００４１】
なお、分離ローラ３１から三連ローラ３３のやや上流側までの導入経路４１は、直線状の経路となっている。
【００４２】
三連ローラ３３は、中央に配置される駆動ローラ３３１と、この駆動ローラ３３１を挟み込むように上下に配置される従動ローラ３３２，３３３と、で構成されている。導入経路４１に沿って搬送される原稿１００は、駆動ローラ３３１とその上方に配置される従動ローラ３３２との間を通過して左斜め下側へ搬送される。三連ローラ３３を通過した原稿１００は、下流側に配置された搬送ローラ３４へ搬送される。なお、駆動ローラ３３１の下方に配置される従動ローラ３３３は、従動ローラ３３２と回転方向が逆となっており、駆動ローラ３３１と従動ローラ３３３との間を通過する原稿１００を右側へ搬送することができる。
【００４３】
搬送ローラ３４は、対向するローラとともに原稿１００をニップして回転することで、この原稿１００を右斜め下側（読取位置側）へ搬送する。そして、原稿１００が前記読取位置を通過するときに、スキャナユニット２５によって第１面の画像情報が読み取られる。なお、この搬送ローラ３４は回転方向を切替可能に構成されており、逆方向に回転することで、原稿１００を左斜め上側（三連ローラ３３側）へ搬送することができる。
【００４４】
なお、三連ローラ３３のやや上流側から読取位置までの導入経路４１は、左側に膨らんだ（左側に凸となるように湾曲した）経路（図３に示す導入湾曲経路４１１）となっている。
【００４５】
次に、片面用排出経路４３について説明する。片面用排出経路４３には、上流側から順に、三連ローラ３５と、搬送ローラ３６と、共通ローラ３８及び対向ローラ３９と、が配置されている。以下に、上流側から下流側の順で、片面用排出経路４３の経路上に配置される各部の構成について説明する。
【００４６】
読取位置のやや下流側には上下に分岐する箇所があり、この分岐箇所の近傍には三連ローラ３５が配置されている。この三連ローラ３５は、中央に配置されるレジストローラ３５１と、レジストローラ３５１を挟み込むように上下に配置される従動ローラ３５２，３５３と、で構成されている。スキャナユニット２５によって画像情報が読み取られた原稿１００は、レジストローラ３５１とその上方に配置される従動ローラ３５２との間を通過して右斜め上側へ搬送される。この三連ローラ３５を通過した原稿１００は、下流側に配置された搬送ローラ３６によって、この搬送ローラ３６の右斜め下側に位置する共通ローラ３８へ搬送される。なお、このレジストローラ３５１は、前記レジストローラ３２と同等の構成となっており、レジストローラ３５１とその下方に配置される従動ローラ３５３との間を左斜め下側へ搬送される原稿１００の斜行を矯正することができる。
【００４７】
共通ローラ３８は、対向するように配置された対向ローラ３９とともに原稿１００をニップして回転することで、この原稿１００を右側へ搬送して、排紙トレイ５３に排出する。以上のようにして、給紙トレイ５２にセットされた原稿１００の片面のみの画像情報が読み取られる。なお、この共通ローラ３８は回転方向を切替可能に構成されており、原稿１００の排出を行うときと逆方向に回転することで、原稿１００を左側（読取位置側）へ搬送することができる。
【００４８】
次に、原稿１００の両面を読み取るときの経路について、図２、及び図４から図６までを参照して説明する。図４は、第１反転経路４５を説明する模式図である。図５は、第２反転経路４６を説明する模式図である。図６は、両面用排出経路４７を説明する模式図である。
【００４９】
原稿１００の両面を読み取るときにおいても、原稿１００の片面のみを読み取るときと同様に、給紙トレイ５２にセットされた原稿が前記導入経路４１に沿って読取位置まで搬送される。そして、原稿１００の第１面の画像情報がスキャナユニット２５によって読み取られる。また、本実施形態のＡＤＦ２４は、原稿１００の搬送方向の長さ（原稿長さ）を検出可能に構成されており、検出された原稿長さに基づいて図略の経路ガイド等を操作することで、導入経路４１の次に原稿１００が搬送される経路を切替可能に構成されている。
【００５０】
初めに、原稿長さが短い場合に原稿１００が搬送される経路について説明する。この場合の原稿１００は、導入経路４１に沿って読取位置まで搬送された後に、図４に示す第１反転経路（反転経路）４５に沿って搬送されるように構成されている。この第１反転経路４５は、上流側から順に、第１反転前経路４５１と、第１反転中経路４５２と、第１反転後経路４５３と、から構成されている。
【００５１】
第１反転前経路４５１には、上流側から順に、三連ローラ３５と搬送ローラ３６とが配置されている。第１反転前経路４５１に沿って搬送される原稿１００は、片面用排出経路４３と同様に、レジストローラ３５１とその上方に配置される従動ローラ３５２との間を通過して右斜め上側へ搬送される。そして、原稿１００は、搬送ローラ３６によって、右方向へ搬送されて第１反転中経路４５２へ搬送される。
【００５２】
第１反転中経路４５２は、途中までは片面用排出経路４３と同様に、右斜め下方へ原稿１００を案内する。しかし、その途中の分岐箇所から後は、原稿１００が左斜め下方へ搬送されるように案内する。この第１反転中経路４５２は、右側に膨らんだ（右側に凸となるように湾曲した）経路となっている。この第１反転中経路４５２に沿って搬送されることで、原稿１００の裏表が反転する。つまり、第１反転中経路４５２に沿って搬送される前までは下側（スキャナユニット２５側）を向いていた第１面が、第１反転中経路４５２に沿って搬送された後は、上側を向くようになる。そして、第１反転中経路４５２に沿って搬送された原稿１００は、第１反転後経路４５３へ搬送される。
【００５３】
第１反転後経路４５３には、上流側から順に、搬送ローラ３７と三連ローラ３５とが配置される。第１反転後経路４５３に沿って搬送される原稿１００は、搬送ローラ３７によって左側へ搬送されて、三連ローラ３５のレジストローラ３５１によって斜行が矯正された後に、読取位置を通過する。このようにして、原稿長さが短い場合の原稿１００を反転させている。
【００５４】
次に、原稿長さが長い場合の原稿１００を反転させる経路について説明する。ここで、原稿長さが長い場合とは、原稿長さが第１反転経路４５の長さと同等か、原稿長さの方が長い場合を意味する。仮に、原稿長さが長い原稿１００を第１反転経路４５に沿って搬送した場合、原稿１００の後端部が読取位置にまだ残っている状態で反転後の原稿１００の先端部が読取位置を通過しようとするため、原稿１００が重なってしまい、紙詰まりを起こしてしまう。そのため、図５に示すように、原稿長さが長い場合における原稿１００が通過する第２反転経路（反転経路）４６は、第１反転経路４５よりも長く構成されている。
【００５５】
第２反転経路４６は、第２反転前経路（反転前経路）４６１と、第２反転中経路４６２と、第２反転後経路（反転後経路）４６３と、から構成される。第２反転前経路４６１は、第１反転前経路４５１よりも更に右側へ延びている。第２反転中経路４６２は、第１反転中経路４５２と同様に、右側に膨らんだ（右側に凸となるように湾曲した）経路を有している。第２反転後経路４６３は、第１反転後経路４５３よりも更に右側へ延びている。
【００５６】
なお、第２反転後経路４６３が原稿１００を左側へ搬送するときに共通ローラ３８を経由するが、前述のように共通ローラ３８は回転方向を切替可能であるため、原稿１００を左側へ搬送することができる。このように共通ローラ３８は、排出ローラとしての機能と搬送ローラとしての機能とを備えている。このようにして、原稿長さが長い場合の原稿１００を反転させている。
【００５７】
そして、第１反転経路４５又は第２反転経路４６によって反転され、第２面の画像情報が読み取られた原稿１００は、図６に示す両面用排出経路（排出経路）４７へ搬送される。
【００５８】
両面用排出経路４７に沿って搬送される原稿１００は、読取位置を左側へ通過した後に、搬送ローラ３４によって左斜め上側へ搬送される。そして、原稿１００は、駆動ローラ３３１とその下方に配置される従動ローラ３３３との間を通過して右方向へ搬送される。
【００５９】
なお、読取位置から三連ローラ３３までの両面用排出経路４７は、左側に膨らんだ（左側に凸となるように湾曲した）経路（図６に示す排出湾曲経路４７１）となっている。なお、導入湾曲経路４１１に沿って搬送される原稿１００と、排出湾曲経路４７１に沿って搬送される原稿１００とでは、原稿１００の搬送方向が互いに逆方向となっている。この点、本実施形態の搬送ローラ３４は回転方向を切替可能であり、更に、従動ローラ３３２と従動ローラ３３３の回転方向が互いに逆方向となるため、上記の双方向搬送に対応している。
【００６０】
そして、両面用排出経路４７に沿って搬送され、三連ローラ３３を通過した原稿１００は、右方向に搬送され、搬送ローラ３６を経由した後に、右斜め下方へ搬送される。そして、片面用排出経路４３に沿って搬送される原稿１００と同様に、共通ローラ３８及び対向ローラ３９によって、排紙トレイ５３に排出される。なお、搬送ローラ３６のやや下流の分岐箇所から共通ローラ３８のやや上流の分岐箇所までの両面用排出経路４７は、第２反転前経路４６１と第２反転後経路４６３とを接続している（図６に示す接続経路４７２）。以上のように、給紙トレイ５２にセットされた原稿１００の両面の画像情報が読み取られる。
【００６１】
次に、第１反転経路４５及び第２反転経路４６と、両面用排出経路４７と、で共通する部分の経路について、図７及び図８を参照して説明する。図７は、第１反転経路４５と両面用排出経路４７とで共通する経路を説明する模式図である。図８は、第２反転経路４６と両面用排出経路４７とで共通する経路を説明する模式図である。
【００６２】
図４、図５、及び図６から明らかなように、第１反転経路４５と両面用排出経路４７、又は、第２反転経路４６と両面用排出経路４７は、共通する経路を有している。
【００６３】
第１反転経路４５と両面用排出経路４７とは、共通する経路として、図７に示す共通経路４４１を有している。この共通経路４４１は、湾曲部分を有する経路であって、搬送ローラ３６のやや左側（上流）の分岐箇所から、第１反転中経路４５２の中央近傍にある分岐箇所までの経路である。また、両面用排出経路４７は、共通経路４４１以外の部分として、第１排出経路４８１と、この第１排出経路４８１より下流側（共通ローラ３８側）の第２排出経路４８２と、を有している。そして、両面用排出経路４７に沿って搬送される原稿１００は、第１排出経路４８１、共通経路４４１、及び第２排出経路４８２の順に経由して排出される。
【００６４】
一方、第２反転経路４６と両面用排出経路４７とは、共通する経路として、図８に示す共通経路４４２と共通経路（第２共通経路）４４３とを有している。共通経路４４２は、直線状の経路であって、搬送ローラ３６のやや左側（上流）の分岐箇所から、搬送ローラ３６のやや右側（下流）の分岐箇所までの経路である。共通経路４４３は、直線状の経路であって、共通ローラ３８のやや左側（第２反転経路４６における下流、両面用排出経路４７における上流）の分岐箇所から、共通ローラ３８と対向ローラ３９との接触箇所までの経路である。また、両面用排出経路４７は、共通経路４４２，４４３以外の部分として、上記で示した第１排出経路４８１と、この第１排出経路４８１より下流側（共通ローラ３８側）の第２排出経路４８３と、を有している。そして、両面用排出経路４７に沿って搬送される原稿１００は、第１排出経路４８１、共通経路４４２、第２排出経路４８３、及び共通経路４４３の順に経由して排出される。
【００６５】
なお、原稿１００は、共通経路４４３を通過した直後に排紙トレイ５３に排出されるが、共通経路４４３から直接原稿１００が排出される必要はない。具体的には、以下のように構成しても良い。即ち、共通経路４４３よりも下流に更に経路を配置し、この経路上に原稿の排出を行うためのローラを設置する。つまり、原稿１００は、共通経路４４３を通過した後に、排出用の前記経路を通過した後に、排紙トレイ５３へ排出される。
【００６６】
以上に説明したように、本実施形態のＡＤＦ２４は、導入経路４１と、第１反転経路４５及び第２反転経路４６と、両面用排出経路４７と、を備える。導入経路４１は、供給された原稿１００の第１面が読み取られるように、読取位置の左側から右側へ原稿１００を案内する。第１反転経路４５及び第２反転経路４６は、導入経路４１と接続され、第１面の画像情報が読み取られた原稿１００の第２面が読み取られるように、当該原稿１００を反転させて読取位置の右側から左側へ原稿１００を案内する。両面用排出経路４７は、第１反転経路４５及び第２反転経路４６と接続され、第２面の画像情報が読み取られた原稿１００が、読取位置よりも右側で排出されるように、当該原稿１００を案内する。そして、第１反転経路４５と両面用排出経路４７、又は、第２反転経路４６と両面用排出経路４７は、共通する経路を有している。
【００６７】
これにより、共通経路４４１，４４２に沿って搬送される原稿１００を案内する部材、搬送ローラ３６及びその伝達部材を、第１反転経路４５及び第２反転経路４６と、両面用排出経路４７と、で共通にすることができるため、ＡＤＦ２４を低コストにできる。また、反転経路と排出経路とが所定の間隔で並列配置されている構成（特許文献１で示す構成）に比べて、ＡＤＦ２４の高さ方向のサイズを小さくすることができる。
【００６８】
また、本実施形態のＡＤＦ２４において、両面用排出経路４７は、第１反転経路４５（又は第２反転経路４６）と共通する部分である共通経路４４１（又は共通経路４４２，４４３）と、第１排出経路４８１と、第１排出経路４８１より下流側の第２排出経路４８２（又は第２排出経路４８３）と、を有しており、両面用排出経路４７に沿って搬送される原稿１００は、第１排出経路４８１、共通経路４４１（又は共通経路４４２）、第２排出経路４８２（又は第２排出経路４８３）の順に経由した後に、排出される。
【００６９】
このように、第１排出経路４８１及び第２排出経路４８２（又は第２排出経路４８３）を有するように両面用排出経路４７を構成することにより、両面用排出経路４７のレイアウトの自由度を向上させることができる。
【００７０】
また、本実施形態のＡＤＦ２４において、第２反転経路４６は、反転前の原稿１００が搬送される第２反転前経路４６１と、反転後の原稿が搬送される第２反転後経路４６３と、を有している。両面用排出経路４７は、共通経路４４１（又は共通経路４４２，４４３）と、第２反転前経路４６１と第２反転後経路４６３を接続する接続経路４７２と、を有している。第２面の画像情報が読み取られた原稿１００は、共通経路４４２、接続経路４７２の順に経由した後に、第２反転後経路４６３と両面用排出経路４７との共通の経路である共通経路４４３を通過して排出される。
【００７１】
これにより、原稿１００が排出される位置を第２反転経路４６の右側の端部よりも装置の内側にすることができるため、自動原稿送り装置２４の左右方向（幅方向）のサイズあるいは、排出される原稿１００のＡＤＦ２４からの飛び出し量を小さくすることができる。
【００７２】
また、本実施形態のＡＤＦ２４は、共通経路４４３上に配置された共通ローラ３８を備える。共通ローラ３８は、共通経路４４３を搬送される原稿１００を排紙トレイ５３に排出可能であって、かつ共通経路４４３を搬送される原稿１００を第１反転経路４５に沿って搬送可能である。
【００７３】
これにより、共通ローラ３８が排出ローラとしての機能と搬送ローラとしての機能とを有しているため、ＡＤＦ２４が備えるローラ及び伝達部材の個数を低減することができる。従って、低コスト化を実現できる。
【００７４】
また、本実施形態のＡＤＦ２４においては、原稿１００を排紙トレイ５３に排出するときと、原稿１００を第２反転経路４６に沿って搬送するときと、で共通ローラ３８の回転方向が異なる。
【００７５】
これにより、原稿１００が一方向に搬送され、かつ原稿１００が他方向に排出される構成の経路にも対応することができる。
【００７６】
次に、図９を参照して、上記実施形態の変形例を説明する。図９は、変形例に係る原稿搬送経路４０を説明する模式図である。なお、本変形例の説明においては、前述の実施形態と同一又は類似の部材には図面に同一の符号を付し、説明を省略する場合がある。
【００７７】
上記実施形態では、共通ローラ３８は原稿１００を排紙トレイ５３へ排出する機能と原稿１００を原稿搬送経路４０に沿って搬送する機能とを有している。これに対して本変形例の自動原稿送り装置２４は、上記排出機能のみを有する排出ローラ３９１と、上記搬送機能のみを有する搬送ローラ３９２と、を備えている。
【００７８】
排出ローラ３９１は搬送ローラ３６の右側であって、第２反転中経路４６２の最も膨らんだ箇所よりも右側に配置されている。一方、搬送ローラ３９２は、上記実施形態における共通ローラ３８と同一の箇所に配置されており、第２反転経路４６を搬送される原稿１００を左側に搬送する機能を有している。そのため、本変形例の共通経路４４４は、上記実施形態の共通経路４４２に比べて、共通する部分の長さが長くなっている。なお、本変形例において、両面用排出経路４７は、共通経路４４４以外の部分として、上記で示した第１排出経路４８１と、この第１排出経路４８１より搬送方向下流側（排出ローラ３９１側）の第２排出経路４８４と、を有している。そして、両面用排出経路４７に沿って搬送される原稿１００は、第１排出経路４８１、共通経路４４４、及び第２排出経路４８４の順に経由して排出される。
【００７９】
この変形例の構成では、原稿１００の排出箇所が上記実施形態の構成よりも右側になるため、左右方向のサイズが上記実施形態に比べて若干大きくなってしまう（又は排出される原稿１００のＡＤＦ２４からの飛び出し量が大きくなってしまう）が、共通ローラ３８の回転方向を切り替える構成（電磁クラッチ等）をなくすことができるため、ＡＤＦ２４を低コストにすることができる。
【００８０】
以上に本発明の好適な実施の形態及び変形例を説明したが、上記の構成は例えば以下のように変更することができる。
【００８１】
なお、上記実施形態及び変形例で示した第１反転中経路４５２を無くして、原稿長さに関わらず常に第２反転経路４６によって原稿１００の反転が行われる構成にしても良い。
【００８２】
上記実施形態及び変形例では、搬送ローラ３４の回転方向を切替可能にすることで、双方向の搬送を実現しているが、これに代えて、読取位置から搬送ローラ３４までの経路に分岐箇所を設け、この分岐箇所に三連ローラを設置しても良い。これにより、搬送ローラ３４の回転方向を切り替えるための構成を省略することができる。
【００８３】
上記実施形態及び変形例で用いた縮小光学系のスキャナユニット２５に代えて、密着型イメージセンサ等を使用する構成に変更することができる。
【００８４】
上記実施形態及び変形例ではイメージスキャナ装置１１は複合機１の一部として備えられているが、この構成に代えて、単体のイメージスキャナ装置として構成することができる。
【符号の説明】
【００８５】
１  複合機
１１  イメージスキャナ装置（原稿読取装置）
２４  ＡＤＦ（自動原稿送り装置）
４１  導入経路
４５  第１反転経路
４６  第２反転経路（反転経路）
４７  両面用排出経路（排出経路）
４４２  共通経路（第１共通経路）
４４３  共通経路（第２共通経路）
【図１】
0005545535.tif 000002
【図２】
0005545535.tif 000003
【図３】
0005545535.tif 000004
【図４】
0005545535.tif 000005
【図５】
0005545535.tif 000006
【図６】
0005545535.tif 000007
【図７】
0005545535.tif 000008
【図８】
0005545535.tif 000009
【図９】
0005545535.tif 000010